(57)【要約】    【課題】  定置網漁、かご網漁等の漁法において、簡便かつ導入容易な手段によって、従来よりも集魚効果を高めることができる集魚具および集魚方法を提供すること。    【解決手段】  集魚具１は光源２を備えた本体３と、該本体３と別途設けられるかもしくは該本体３と一体に設けられる取付け手段４とを備えていることを基本的構成とする。取付け手段４は漁網を構成するロープＲに取り付けるためのもので、適宜の締着用具を使用できる。本体３の縁部には、締着用具が容易には外れないよう安定的に締着するための溝５を設けてもよい。【選択図】  図１Ａ
2007228833.tif 000002
【特許請求の範囲】
【請求項１】
水中において集魚するための集魚具であって、光源を備えた本体と、該本体を漁網を構成するロープもしくは漁網に用いるロープに取り付けるための、該本体と別途設けられるかもしくは該本体と一体に設けられる取付け手段とを備えていることを特徴とする、集魚具。
【請求項２】
前記取付け手段は、前記本体をロープに締着する締着用具であることを特徴とする、請求項１に記載の集魚具。
【請求項３】
前記取付け手段もしくは前記本体の少なくともいずれか一方は弾性材料を用いたものであり、かかる構成によりロープに対する取付け後もロープ上において前記本体を可動ならしめるものであることを特徴とする、請求項１または２に記載の集魚具。
【請求項４】
前記本体は、ロープの形状に適合する形状の適合部位を備えていることを特徴とする、請求項１ないし３のいずれかに記載の集魚具。
【請求項５】
前記本体はその断面形状が、概ね中心部に前記適合部位の設けられた扇形もしくは半円形であることを特徴とする、請求項４に記載の集魚具。
【請求項６】
前記光源は、該本体の周上もしくは軸方向の表面上に少なくともいずれか一方において複数設けられていることを特徴とする、請求項１ないし５のいずれかに記載の集魚具。
【請求項７】
前記軸方向上の複数の光源には、照射角度が異なるように設けられているものが含まれることを特徴とする、請求項６に記載の集魚具。
【請求項８】
前記本体はその断面形状が概ね中心部に前記適合部位の設けられた半円形であり、これを二個対向させ合わせて用いることによりロープの全周を囲繞して取り付けることができ、該本体表面の周上および軸方向上にそれぞれ、異なる照射角度となるように設けられているものを含めて複数設けられている光源により、本集魚具の全周方向に対して該光源からの光を照射可能であることを特徴とする、請求項４に記載の集魚具。
【請求項９】
前記光源は発光ダイオードであることを特徴とする、請求項１ないし８に記載の集魚具。
【請求項１０】
前記光源には、その光量制御回路、もしくは点滅間隔制御回路の少なくともいずれかが前記本体に内蔵されて設けられていることを特徴とする、請求項１ないし９のいずれかに記載の集魚具。
【請求項１１】
請求項１ないし１０のいずれかに記載の集魚具を用い、該集魚具を漁網を構成するロープもしくは漁網に用いるロープに取り付け、該集魚具の光源を水中において点灯させることにより、魚を集めるもしくは誘導することを特徴とする、集魚方法。
【発明の詳細な説明】
【技術分野】
【０００１】
本発明は集魚具および集魚方法に係り、特に定置網漁、刺し網漁、棒受け漁、かご網漁等の漁法において、従来よりも集魚効果を高めることができる集魚具および集魚方法に関する。
【背景技術】
【０００２】
定置網漁、刺し網漁、棒受け漁、かご網漁等の漁法は、魚群の進路上に漁網を設置して漁獲する漁法である。漁網を設置する場所は経験値と海象状況によるところが大きく、漁網を設置した場所、季節等により漁獲量にバラツキが出る。これらの漁法は、魚が網に寄って来て中に入ることを待つものであり、漁法としての安定性は低く、常に一定の漁獲高が見込めるものではない。
【０００３】
一方、従来より、光を使用して集魚効果を高め、漁獲向上を図ろうとする提案は種々なされている。たとえば下記特許文献１は、ＬＥＤを集魚灯の光源として用いるに際して、海面照射を効果的かつ効率的に行え、かつ各種魚場状況に応じて高漁獲を可能とするＬＥＤを用いた集魚灯装置として、船体の両外側に集魚灯を複数並設し、その支持機構ユニットが、回動、上下動可能である構成を提案している。
【０００４】
また特許文献２では、水中集魚灯の周囲に、魚の遊泳層域における最好適照度域をドーナツ状に形成できるものとして、傘状のカバーキャップの内面や光源室底面に反射板を設けた構成を提案している。
【０００５】
【特許文献１】特開２００５−１９８６３９「発光ダイオードを用いた集魚灯装置」
【特許文献２】特開２０００−１４２７３「水中集魚灯」
【発明の開示】
【発明が解決しようとする課題】
【０００６】
しかし、特許文献１の技術はあくまでも船体に取り付ける装置をもって、海面上において集魚灯を用いて界面を照射するものである。また特許文献２の技術はその用途が限定された漁法におけるものに留まるとともに、装置構成は大がかりなものとなり、汎用性が乏しい。
【０００７】
本発明が解決しようとする課題は、上記従来技術の問題点を除き、特に定置網漁、刺し網漁、棒受け漁、かご網漁等の漁法において、簡便かつ導入容易な手段によって、従来よりも集魚効果を高めることができる集魚具および集魚方法を提供することである。
【課題を解決するための手段】
【０００８】
本願発明者は上記課題について検討した結果、光の直進性に優れている発光ダイオード（ＬＥＤ）を水中において用いる構成に基づいて上記課題の解決が可能であることを見出し、本発明に至った。すなわち、上記課題を解決するための手段として本願で特許請求される発明、もしくは少なくとも開示される発明は、以下の通りである。
【０００９】
（１）  水中において集魚するための集魚具であって、光源を備えた本体と、該本体を漁網を構成するロープもしくは漁網に用いるロープに取り付けるための、該本体と別途設けられるかもしくは該本体と一体に設けられる取付け手段とを備えていることを特徴とする、集魚具。
（２）  前記取付け手段は、前記本体をロープに締着する締着用具であることを特徴とする、（１）に記載の集魚具。
（３）  前記取付け手段もしくは前記本体の少なくともいずれか一方は弾性材料を用いたものであり、かかる構成によりロープに対する取付け後もロープ上において前記本体を可動ならしめるものであることを特徴とする、（１）または（２）に記載の集魚具。
（４）  前記本体は、ロープの形状に適合する形状の適合部位を備えていることを特徴とする、（１）ないし（３）のいずれかに記載の集魚具。
（５）  前記本体はその断面形状が、概ね中心部に前記適合部位の設けられた扇形もしくは半円形であることを特徴とする、（４）に記載の集魚具。
（６）  前記光源は、該本体の周上もしくは軸方向の表面上に少なくともいずれか一方において複数設けられていることを特徴とする、（１）ないし（５）のいずれかに記載の集魚具。
（７）  前記軸方向上の複数の光源には、照射角度が異なるように設けられているものが含まれることを特徴とする、（６）に記載の集魚具。
【００１０】
（８）  前記本体はその断面形状が概ね中心部に前記適合部位の設けられた半円形であり、これを二個対向させ合わせて用いることによりロープの全周を囲繞して取り付けることができ、該本体表面の周上および軸方向上にそれぞれ、異なる照射角度となるように設けられているものを含めて複数設けられている光源により、本集魚具の全周方向に対して該光源からの光を照射可能であることを特徴とする、（４）に記載の集魚具。
（９）  前記光源は発光ダイオードであることを特徴とする、（１）ないし（８）に記載の集魚具。
（１０）  前記光源には、その光量制御回路、もしくは点滅間隔制御回路の少なくともいずれかが前記本体に内蔵されて設けられていることを特徴とする、（１）ないし（９）のいずれかに記載の集魚具。
（１１）  （１）ないし（１０）のいずれかに記載の集魚具を用い、該集魚具を漁網を構成するロープもしくは漁網に用いるロープに取り付け、該集魚具の光源を水中において点灯させることにより、魚を集めるもしくは誘導することを特徴とする、集魚方法。
【００１１】
魚類は一般に、光に対して興味を示す習性がある。水中において漁網に取り付けて用いる本発明の集魚具においては、光源として特に、直進性に優れた光、つまり光が広がらず指向性がある光を発することのできる光源が望ましい。かかる光源として、特にＬＥＤの使用は好適である。
【発明の効果】
【００１２】
本発明の集魚具および集魚方法は上述のように構成されるため、これによれば、定置網漁、刺し網漁、棒受け漁、かご網漁等の漁法において、簡便かつ導入容易な手段によって、従来よりも集魚効果を高めることができる。
【００１３】
特に光源としてＬＥＤを用いる場合の本発明集魚具によれば、水中において相当の遠距離まで光を照射することができ、より広い範囲における集魚効果を得て、漁獲量増加を得ることができる。さらに本発明集魚具は、漁網に設置する位置および角度を自由に調節することができるため、３次元的に広範囲の空間に対して光を照射する取付け方法を自在に行うことができ、それによって集魚効果をさらに高め、一層の漁獲量増加を図ることができる。
【００１４】
またなお、光源としてＬＥＤを用いる場合の本発明集魚具では、従来の他の光源と比べて、長寿命、省電力、構造の小型化が可能であるため、漁業者に対して集魚効果を高める技術を安価にて提供することができる。また、ＬＥＤには水銀など環境に対して付加を与える物質が使用されていないため、水質汚染の心配もない。
【００１５】
またＬＥＤ使用の場合は特に、光量・光色を自由に変化させる設計等も容易であり、さまざまな魚種・漁法（刺し網・籠網・たこ壷等）への対応の自由度が高い。さらに、本発明は漁網に取り付けることを主用途としているが、使用法はこれに限定されず、たとえば船底に設置することで水中における集魚機能を発揮させるなど、さまざまな漁法・釣法にも対応できるものである。
【発明を実施するための最良の形態】
【００１６】
以下、本発明を図面により詳細に説明するが、各図において示される形状等は実施例や使用例を表わすものであり、本発明がこれらの実施例等に限定されるものではない。
図１Ａは、本発明集魚具の実施例１の側面図、図１Ｂは同平面図（上面図）、図１Ｃは同底面図、図１Ｄは同断面図である。また、
図２Ａは、実施例１の使用例１において、使用状態を示す断面図、図２Ｂは同側面図である。なお光源の表記は、図によって一部もしくはほぼ全部を省略している。
【００１７】
これらの図にて例示するように、本発明集魚具１は水中にて集魚するためのものであり、光源２を備えた本体３と、該本体３と別途設けられるかもしくは該本体３と一体に設けられる取付け手段４とを備えていることを、基本的構成とする。取付け手段４は、本体３を漁網を構成するロープＲか、もしくは漁網に用いるロープＲ、いずれにせよロープＲに取り付けるためのものである。
【００１８】
取付け手段４の実際は、特に限定されるものではないが、図２Ａ、２Ｂに示すように、本体３をロープＲに締着することのできる締着用具を、好適に用いることができる。締着用具としては、その構造、材質、物性により特に限定されず適宜のものを用いることができる。
【００１９】
本集魚具１の本体３の縁部には、本体３に取付け手段４として後述の締着用具を用いる場合に締着が容易には外れないよう安定的に締着するための溝５を設けてもよい。
【００２０】
本集魚具１の本体３内部には、光源２における発光のための電気回路もしくは電気回路、電源が内蔵され、本体３には光源の作動制御のためのスイッチ（図示せず）が設けられる。その他、点灯・消灯、点灯時間、光量等を制御するための制御回路など、適宜の電気系統を内蔵することもできる。リモートコントロールを適用することも、もちろん可能である。
【００２１】
以上の基本的な構成により本集魚具１は、その一または複数が、取付け手段４によって漁網ロープＲに取り付けられて固定され、光源２は水中にて点灯状態とされ、集魚具として作用する。
【００２２】
取付け手段４として締着用具を用いることにより、漁網ロープＲへの取付け作業は容易であるが、取付けの確実性と、取付け後の位置調整の便利のため、取付け手段４もしくは本体３の少なくともいずれか一方は、弾性材料を用いたものとすることができる。これにより、ロープＲに対する本集魚具１取付け後も、ロープＲ上において本体３を可動ならしめ、位置調整を容易に行うことができる。特に、取付け手段たる締着用具を弾性材料製とすることで、取付け作業や位置調整が便利である。図２には、締着用具（４）を２本用いる例が示されているが、本発明は締着用具の数、それと関連する溝５の数や位置に、特に限定されるものではない。
【００２３】
図１Ｄ、図２Ａに示すように、集魚具１の本体３は、ロープＲの形状に適合する形状の適合部位６を備えたものとすることができる。かかる構成とすることにより、本集魚具１がロープＲに対してよりフィットするため、取付け作業も容易であり、また取付け後の安定性も高めることができる。たとえば、水中における水流の力や、生物、無生物による衝突の衝撃を受ける際にも、集魚具１がロープＲから離脱したり破損したりする危険性を防止ないしは低減することができる。
【００２４】
ロープの断面は通常略円形であるから、適合部位６も図１Ｄ等に例示するように円弧形状であることが望ましい。また図示するように、本体３自体の断面形状を、概ね中心部に適合部位６の設けられた扇形もしくは半円形としてもよい。かかる形状は、水中における水流の力や、生物、無生物による衝突の衝撃を受ける際にも、集魚具１離脱、破損の危険性を、一層防止ないしは低減できるものである。
【００２５】
図１Ａその他に例示するように、本集魚具１の光源２は、本体３の周上に複数設けられるか、もしくは軸方向の表面上に複数設けられるか、あるいはその両方とすることができる。図に示す実施例１では、本体３の周上にも複数、軸方向の表面上にも複数設けられており、このように本体３の表面により多くの光源２を配置すれば、集魚効果はより高まる。特にＬＥＤを用いる場合、ＬＥＤ光は直進性に優れたものであるため、多方向への光照射のためには、かかる構成が望ましい。もっとも、光源２を設ける位置、個数、配置等具体的な設計により本発明が限定されないことはいうまでもない。
【００２６】
また、図１Ａに示すように、軸方向上の複数の光源２には、照射角度が異なるように設けられているものを含めることによって、より多方向への光照射の効果を高めることができる。かかる構成のためには、光源２の配置角度自体を本体３上にて変化させることも可能だが、図示するように光源２の本体３に対する設置角度は変えずに、本体３自体に曲面を設ける構成とする方が、製造上も、また効果の点でもより望ましい。
【００２７】
図２Ｃは、本集魚具の実施例２を示す断面図である。上述の実施例１では、取付け手段４は本体３とは別途設けられるものであったが、実施例２の集魚具１Ｃでは、締着用具４Ｃの一部が本体３Ｃの一端部に固定され（図では部材７Ｃによる固定）、ロープに締着する場合は締着用具４Ｃの自由端部を本体３Ｃの他端部（図では係止部８Ｃ）に係止固定するものである。かかる構成により、本体３Ｃと取付け手段たる締着用具４Ｃとが一体のものとなり、本集魚具の管理、取扱いには便利である。
【００２８】
締着用具４Ｃを本体３Ｃと一体化する場合であっても、締着用具４Ｃを弾性材料にて構成すれば、取付け作業が容易となり、また取付け後の安定性もよい。
【００２９】
図３Ａは、実施例１の使用例２を示すものであり、本集魚具を２個合わせ用いる場合の側面図である。また、図３Ｂは使用例２の断面図である。これらに図示するように使用例２では、本体３の断面形状が概ね中心部に前記適合部位の設けられた半円形の集魚具１を用い、これを２個対向させ合わせて用いるものである。
【００３０】
かかる集魚具１による２個の組合せによれば、ロープＲの全周を囲繞してこれを取り付けることができ、本体３表面の周上および軸方向上にそれぞれ、異なる照射角度となるように設けられているものを含めて複数設けられている光源２により、本集魚具の全周方向に対して該光源２からの光を照射することが可能である。つまり本使用例２は、漁網ロープＲを２個の本集魚具１によって挟み込むようにして取付ける態様である。
【００３１】
図３Ｃは、実施例１の使用例３を示すものであり、本集魚具を２個合わせ用いる場合の断面図である。本使用例３では、２本のロープの間に２個の集魚具１からなる組合せを配置し、２本のロープに締着用具４が掛け回されて取り付けられる（後掲図４も参照）。
【００３２】
上述したように本発明集魚具の光源は、ＬＥＤを好適に用いることができる。ＬＥＤを単色で用いるか、複数組み合わせて用いるか等は、魚種、漁法によって適宜設計することができる。また、光源の光量制御回路、もしくは点滅間隔制御回路の少なくともいずれかを本体に内蔵することにより光照射条件を適宜に設定可能とし、魚種、漁法に応じた集魚効果を得ることができる。
【００３３】
図４は、本集魚具を定置網漁に適用した使用例４を示す説明図である。また、
図５は、本集魚具を籠網漁に適用した使用例５を示す説明図である。このように、本集魚具の実施例を２個合わせ用いた集魚具ユニット４１、５１として漁網ロープＲ４Ａ等に取付け、取付け後はユニット４１等をロープ４Ａ等上において移動させ、位置調整することができる。
【００３４】
これらの使用例も含め、以上説明した集魚具をロープに取り付け、その光源を水中において適宜の状態で点灯させることにより、効果的に集魚することができる。また、魚種、漁法、用途に合わせて、本発明集魚具のサイズは自由に設計できる。
【００３５】
各図では、漁網Ｍ１等に対して集魚具ユニット４１等は縦方向に取り付けられた状態だが、ロープの構成により、横、斜め、いずれの方向にも取付け可能であり、また自由な位置に取付けることができる。また、ＬＥＤを用い、かつ光を各方向に対して照射できるようにする構成では、集魚具の設置水深をさほど限定されることなく用いることができる。
【産業上の利用可能性】
【００３６】
本発明の集魚具および集魚方法によれば、各種漁法において簡便かつ導入容易な手段によって、従来よりも集魚効果を高めることができる。特に光源としてＬＥＤを用いる場合、遠距離まで光を照射でき、より広い範囲における集魚効果が得られるとともに、漁業者に対して安価に本発明の効果を提供することができ、産業上利用価値が高い発明である。
【図面の簡単な説明】
【００３７】
【図１Ａ】本発明集魚具の実施例１の側面図である。
【図１Ｂ】同平面図（上面図）である。
【図１Ｃ】同底面図である。
【図１Ｄ】同断面図である。
【図２Ａ】実施例１の使用例１において、使用状態を示す断面図である。
【図２Ｂ】同側面図である。
【図２Ｃ】本集魚具の実施例２を示す断面図である。
【図３Ａ】実施例１の使用例２を示すものであり、本集魚具を２個合わせ用いる場合の側面図である。
【図３Ｂ】使用例２の断面図である。
【図３Ｃ】実施例１の使用例３を示すものであり、本集魚具を２個合わせ用いる場合の断面図である。
【図４】本集魚具を定置網漁に適用した使用例４を示す説明図である。
【図５】本集魚具を籠網漁に適用した使用例５を示す説明図である。
【符号の説明】
【００３８】
１、１Ｃ…集魚具
２、２Ｃ…光源
３、３Ｃ…本体
４、４Ｃ…取付け手段
５…溝
６、６Ｃ…適合部位
７Ｃ…固定用の部材
８Ｃ…係止部
４１、５１…集魚具ユニット
Ｍ１、Ｍ２…網
Ｒ、Ｒ４Ａ、Ｒ４Ｂ、Ｒ５…ロープ
【図１Ａ】
2007228833.tif 000003
【図１Ｂ】
2007228833.tif 000004
【図１Ｃ】
2007228833.tif 000005
【図１Ｄ】
2007228833.tif 000006
【図２Ａ】
2007228833.tif 000007
【図２Ｂ】
2007228833.tif 000008
【図２Ｃ】
2007228833.tif 000009
【図３Ａ】
2007228833.tif 000010
【図３Ｂ】
2007228833.tif 000011
【図３Ｃ】
2007228833.tif 000012
【図４】
2007228833.tif 000013
【図５】
2007228833.tif 000014
【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
水中において集魚するための集魚具であって、複数の光源を備えた本体と、該本体を漁網を構成するロープもしくは漁網に用いるロープに取り付けるための、該本体と別途設けられるかもしくは該本体と一体に設けられる取付け手段とを備えており、該取付け手段は該本体をロープに締着する締着用具であり、該本体はロープの断面形状に適合する形状の適合部位を備えており、該適合部位により、ロープに対する取付け後もロープ上において該本体を可動ならしめるよう該取付け手段もしくは該本体の少なくともいずれか一方は弾性材料を用いたものであり、該光源は該本体の周上ならびに軸方向の表面上双方において複数設けられており、該軸方向上の複数の光源には照射角度が異なるように設けられているものが含まれている、集魚具。
【請求項２】
前記本体は、その断面形状が、概ね中心部に前記適合部位の設けられた扇形もしくは半円形であることを特徴とする、請求項１に記載の集魚具。
【請求項３】
前記本体はその断面形状が概ね中心部に前記適合部位の設けられた半円形であり、これを二個対向させ合わせて用いることによりロープの全周を囲繞して取り付けることができ、該本体表面の周上および軸方向上にそれぞれ、異なる照射角度となるように設けられているものを含めて複数設けられている光源により、本集魚具の全周方向に対して該光源からの光を照射可能であることを特徴とする、請求項２に記載の集魚具。
【請求項４】
前記光源は発光ダイオードであることを特徴とする、請求項１ないし３のいずれかに記載の集魚具。
【請求項５】
前記光源には、その光量制御回路、もしくは点滅間隔制御回路の少なくともいずれかが前記本体に内蔵されて設けられていることを特徴とする、請求項１ないし４のいずれかに記載の集魚具。
【請求項６】
請求項１ないし５のいずれかに記載の集魚具を用い、該集魚具を漁網を構成するロープもしくは漁網に用いるロープに取り付け、該集魚具の光源を水中において点灯させることにより、魚を集めるもしくは誘導することを特徴とする、集魚方法。
【手続補正２】
【補正対象書類名】明細書
【補正対象項目名】０００９
【補正方法】変更
【補正の内容】
【０００９】
（１）  水中において集魚するための集魚具であって、複数の光源を備えた本体と、該本体を漁網を構成するロープもしくは漁網に用いるロープに取り付けるための、該本体と別途設けられるかもしくは該本体と一体に設けられる取付け手段とを備えており、該取付け手段は該本体をロープに締着する締着用具であり、該本体はロープの断面形状に適合する形状の適合部位を備えており、該適合部位により、ロープに対する取付け後もロープ上において該本体を可動ならしめるよう該取付け手段もしくは該本体の少なくともいずれか一方は弾性材料を用いたものであり、該光源は該本体の周上ならびに軸方向の表面上双方において複数設けられており、該軸方向上の複数の光源には照射角度が異なるように設けられているものが含まれている、集魚具。
（２）  前記本体は、その断面形状が概ね中心部に前記適合部位の設けられた扇形もしくは半円形であることを特徴とする、（１）に記載の集魚具。
【手続補正３】
【補正対象書類名】明細書
【補正対象項目名】００１０
【補正方法】変更
【補正の内容】
【００１０】
（３）  前記本体はその断面形状が概ね中心部に前記適合部位の設けられた半円形であり、これを二個対向させ合わせて用いることによりロープの全周を囲繞して取り付けることができ、該本体表面の周上および軸方向上にそれぞれ、異なる照射角度となるように設けられているものを含めて複数設けられている光源により、本集魚具の全周方向に対して該光源からの光を照射可能であることを特徴とする、（２）に記載の集魚具。
（４）  前記光源は発光ダイオードであることを特徴とする、（１）ないし（３）のいずれかに記載の集魚具。
（５）  前記光源には、その光量制御回路、もしくは点滅間隔制御回路の少なくともいずれかが前記本体に内蔵されて設けられていることを特徴とする、（１）ないし（４）のいずれかに記載の集魚具。
（６）  （１）ないし（５）のいずれかに記載の集魚具を用い、該集魚具を漁網を構成するロープもしくは漁網に用いるロープに取り付け、該集魚具の光源を水中において点灯させることにより、魚を集めるもしくは誘導することを特徴とする、集魚方法。